(57)【特許請求の範囲】
【請求項１】
スイッチ部が接続されたプリント配線基板と、周囲に鍔部と内部に駆動部とを有するドーム状の駆動部材と、内壁に仕切壁を設けたケースと、前記仕切壁に変位可能に取り付けた操作部材とを備え、前記仕切壁には孔を備えた底面部と開口部とを有する凹部状の保持部を設け、該保持部の前記開口部側には、前記底面部から異なる隙間間隔を有する一対の係止部がそれぞれ形成され、一方の隙間間隔は、他方の隙間間隔より大きな寸法とし、前記鍔部が前記隙間に係止されるようにして前記駆動部材を前記保持部に取り付け、前記スイッチ部が、前記保持部の下方に位置するように前記プリント配線基板を前記ケースに組み込み、前記操作部材を操作変位することにより、前記駆動部材を座屈させ、前記駆動部が前記孔を通して下方の前記スイッチ部を動作するようにしたことを特徴とするスイッチ装置。
【請求項２】
前記駆動部材と駆動部とを別体にしたことを特徴とする請求項１記載のスイッチ装置。
【発明の詳細な説明】
【０００１】
【発明の属する技術分野】
本発明は、スイッチ装置に関し、特に、車載用のオーディオやエアコンのそれぞれの切換に用いて好適なプッシュ型のスイッチ装置に関する。
【０００２】
【従来の技術】
従来のスイッチ装置について、図面を用いて説明する。
図５は、従来のスイッチ装置を示す要部断面図、図６は、従来のスイッチ装置を説明するための要部拡大断面図である。
図５、図６に示すように、平板状のプリント配線基板１は、所定の回路パターン（図示せず）を有している。
【０００３】
スイッチ部２は、矩形の箱形の本体部２ａと、本体部２ａから外方（上方）に突出した円柱状の押圧部２ｂと、本体部２ａから外方（下方）に突出した複数本の端子（図示せず）とを有している。そして、このスイッチ部２の端子は、プリント配線基板１の回路パターン（図示せず）に接続されている。
【０００４】
ケース３は、合成樹脂材料からなり、成形加工され、略四方を囲む側壁３ａと、側壁３ａによって囲まれた内部を、上面側と下面側とに仕切る仕切壁３ｂと、仕切壁３ｂに設けられた複数個（例えば、２個）の略矩形の略凹部状の保持部３ｃとを有している。
【０００５】
また、略矩形の保持部３ｃは、底面部３ｇと、底面部３ｇの四方（周囲）を囲む内側面３ｈと、底面部３ｇの中央部に設けられた円形の孔３ｍと、上方に開放された開口部３ｋとを有している。
このケース３の下面側には、スイッチ部２が接続されたプリント配線基板１が収納されている。
【０００６】
駆動部材４は、ゴムなどの弾性材料から成り、一体的に成形加工され、全体がドーム状で、一方の端部が開放された押圧部４ａと、押圧部４ａの開放端側に設けられた略矩形の鍔部４ｂと、押圧部４ａの中心部から延設され、外方（下方）に突出する円柱状の駆動部４ｃとを有する。
【０００７】
この駆動部材４は、ケース３の保持部３ｃ内に鍔部４ｂが底面部３ｇに当接した状態で収納されている。このとき駆動部材４の押圧部４ａは、開口部３ｋから外方（上方）に突出し、駆動部４ｃは、孔３ｍに挿通された状態で配置されている。そして、駆動部４ｃの自由端部は、スイッチ部２の押圧部２ｂに当接した状態で配置されている。
【０００８】
押さえ部材８は、合成樹脂材料からなり、平板状に成形加工され、複数個（例えば、２個）の円形の孔８ａを有している。この押さえ部材８は、ケース３の仕切壁３ｂ上に載置され、この状態のとき、駆動部材４の押圧部４ａが孔８ａから外方（上方）に突出され、鍔部４ｂが孔８ａの周囲によって、押さえ込まれている。このように鍔部４ｂが押さえ部材８によって押さえ込まれることで駆動部材４が、ケース３の保持部３ｃに収納・保持されている。
【０００９】
操作部材５は、合成樹脂材料から成り、成形加工され、略長円状の本体部５ａと、本体部５ａの中央部から外方（上方）に突出する操作部５ｂとを有する。また、本体部５ａは、略長円状に周囲を囲む側壁５ｃと、側壁５ｃの対向する位置に設けられた円形の一対の孔５ｄと、側壁５ｃの開放端側に設けられた鍔部５ｅと、鍔部５ｅから外方（下方）に突出する略円柱状の複数個（例えば、２個）の押圧部５ｆとを有している。この操作部材５は、ケース３に適宜手段にて取り付けられ、操作部材５が揺動できるように保持されている。
【００１０】
パネル６は、合成樹脂材料から成り、成形加工され、上壁６ａと、上壁６ａから下方に延設された側壁６ｂと、上壁６ａの所定の箇所に設けられた略長円状の孔６ｃとを有している。
【００１１】
このパネル６は、ケース３の上面側を覆うようにケース３上に配置され、パネル６とケース３とは、例えば、スナップイン係合など適宜手段にて係合される。このとき、孔６ｃには、操作部材５が挿通されて配置されている。
【００１２】
下カバー７は、合成樹脂材料から成り、成形加工され、底面部７ａと、底面部７ａの周囲を囲む側壁７ｂとを有している。この下カバー７は、ケース３の下面側を覆うようにケース３に配置され、下カバー７とケース３とは、例えば、スナップイン係合など適宜手段にて係合される。
【００１３】
【発明が解決しようとする課題】
このような従来のスイッチ装置は、ケース３の保持部３ｃ内に駆動部材４を収納・配置するときに駆動部材４が保持部３ｃ内から外れないように駆動部材４の鍔部４ｂを押さえ込む（挟み込む）ための押さえ部材８がケース３の仕切壁３ｂ上に載置されている。この押さえ部材８は、複数個の駆動部材４を一度に押さえ込むために設けられており、このことから、駆動部材４を押さえる押さえ部材８が必要であり、よって、スイッチ装置を構成する構成部材の部品点数が増加することから、組み立て工数も増加し、よって、コスト高なスイッチ装置になるという問題がある。
【００１４】
そこで、本発明のスイッチ装置は、上述の問題点を解決するもので、その目的は、部品点数が少なく、組み立てが容易で、安価なスイッチ装置を提供することである。
【００１５】
【課題を解決するための手段】
本発明のスイッチ装置は、スイッチ部が接続されたプリント配線基板と、周囲に鍔部と内部に駆動部とを有するドーム状の駆動部材と、内壁に仕切壁を設けたケースと、仕切壁に変位可能に取り付けた操作部材とを備え、仕切壁には孔を備えた底面部と開口部とを有する凹部状の保持部を設け、該保持部の開口部側には、底面部から異なる隙間間隔を有する一対の係止部がそれぞれ形成され、一方の隙間間隔は、他方の隙間間隔より大きな寸法とし、鍔部が隙間に係止されるようにして駆動部材を保持部に取り付け、スイッチ部が、保持部の下方に位置するようにプリント配線基板を前記ケースに組み込み、操作部材を操作変位することにより、駆動部材を座屈させ、駆動部が孔を通して下方の前記スイッチ部を動作するようにしたことである。
【００１６】
また、本発明のスイッチ装置は、駆動部材と駆動部とを別体にしたことである。
【００１７】
【発明の実施の形態】
以下、本発明のスイッチ装置について、図面を用いて説明する。
図１は、本発明のスイッチ装置の実施の形態を示す分解斜視図、図２は、本発明のスイッチ装置を説明するための要部断面図、図３は、本発明のスイッチ装置を説明するための要部平面図、図４は、本発明のスイッチ装置を説明するための要部拡大断面図である。なお、従来例と同一部材（同一構成）には、同一符号を付与してある。
【００１８】
この本発明のスイッチ装置は、例えば、車載用のオーディオ装置のチャンネル切換用に用いられる。なお、このスイッチ装置は、前記チャンネル切換用以外に音量切換用やＡＭ放送・ＦＭ放送切換用などに用いることも出来る。
図１〜図４に示すように、平板状のプリント配線基板１は、所定の回路パターン１ａと、回路パターン１ａに接続された複数個の透孔１ｂとを有している。
【００１９】
スイッチ部２は、矩形の箱形の本体部２ａと、本体部２ａから外方（上方）に突出した円柱状の押圧部２ｂと、本体部２ａから外方（下方）に突出した複数本の端子（図示せず）とを有している。そして、このスイッチ部２の端子は、プリント配線基板１の透孔１ｂに挿通された状態で、回路パターン１ａに接続されている。
【００２０】
ケース３は、合成樹脂材料からなり、成形加工され、略四方を囲む側壁３ａと、側壁３ａによって囲まれた内部を、上面側と下面側とに仕切る仕切壁３ｂと、仕切壁３ｂに設けられた複数個（例えば、２個）の略矩形の略凹部状の保持部３ｃと、保持部３ｃの近傍に設けられた略長円状の孔３ｄとを有している。
【００２１】
また、略矩形の保持部３ｃは、底面部３ｇと、底面部３ｇの四方（周囲）を囲む内側面３ｈと、上方に開放された開口部３ｋとを有し、また、底面部３ｇには、中央部に円形の孔３ｍと、孔３ｍを挟んで設けられた一対の矩形の孔３ｎとが設けられている。また、少なくとも対向する内側面３ｈの開放端部側には、矩形の一対の係止部３ｐ、３ｑが底面部３ｇと平行であって、且つ、開口部３ｋの中心に向かって延びるように設けられている。
この一対の係止部３ｐ、３ｑと、一対の矩形の孔３ｎとは、それぞれ対向して設けられている。この一対の孔３ｎは、それぞれの係止部３ｐ、３ｑを成形加工する際の型抜きのために設けられている。
【００２２】
また、一対の係止部３ｐ、３ｑの底面部３ｇ側の面と、底面部３ｇの上面との間には、隙間３ｒ、３ｓがそれぞれ設けられている。そして、この一方の隙間３ｒの隙間寸法は、寸法ｌ１であって、他方の隙間３ｓの隙間寸法は、寸法ｌ２であるように形成されている。そして、この一方の隙間３ｒの寸法ｌ１は、他方の隙間３ｓの寸法ｌ２よりも小さい（ｌ１＜ｌ２）寸法に形成されている。また、一対の係止部３ｐ、３ｑの先端部には、面取り加工（図示せず）がされている。
【００２３】
また、仕切壁３ｂに設けられた略長円状の孔３ｄは、複数個（例えば、２個）の保持部３ｃによって挟まれた位置に設けられており、そして、この孔３ｄには、孔３ｄの内周面に沿って外方（上方）に突出する壁部３ｕと、壁部３ｕから外方に突出する円柱状の一対の凸部３ｖとが設けられている。この孔３ｄと壁部３ｕとは、プリント配線基板１に接続された光源部材（図示せず）からの光を貫通させて、後述する操作部材５を照光するために設けられている。
【００２４】
このケース３の下面側には、スイッチ部２が接続されたプリント配線基板１が収納されている。また、このケース３には、上述の構成以外に音量切換用やＡＭ放送・ＦＭ放送切換用のスイッチ装置などが配置出来るような構成部材が一体的に設けられている。
【００２５】
駆動部材４は、ゴムなどの弾性部材から成り、一体的に成形加工され、全体がドーム状で、一方の端部が開放された押圧部４ａと、押圧部４ａの開放端側に設けられた略矩形の鍔部４ｂと、押圧部４ａの中心部から延設され、外方（下方）に突出する円柱状の駆動部４ｃとを有する。そして、前記鍔部４ｂの厚さ寸法は、寸法ｌ３に形成され、この厚さ寸法ｌ３は、前記一方の隙間３ｒの隙間寸法ｌ１とほぼ等しい寸法（ｌ３≒ｌ１）に形成されている。
【００２６】
この駆動部材４は、ケース３の保持部３ｃ内に鍔部４ｂが底面部３ｇに当接した状態で収納されており、このとき駆動部材４の鍔部４ｂの対向する箇所は、保持部３ｃの一対の隙間３ｒ、３ｓ内にそれぞれ係合され、押圧部４ａは、開口部３ｋから外方（上方）に突出し、駆動部４ｃは、孔３ｍに挿通された状態で配置されている。そして、駆動部４ｃの自由端部は、スイッチ部２の押圧部２ｂに当接した状態で配置されている。
【００２７】
この状態のとき、前記一方の鍔部４ｂは、一方の隙間３ｒに上下ガタの少ない状態で収納され、他方の鍔部４ｂは、他方の隙間３ｓに緩めに収納されている。
この駆動部材４は、押圧部４ａに押圧力が加えられると、この押圧力にて座屈し、この座屈時にいわゆるクリック感触が生じるように形成されている。
【００２８】
なお、この駆動部材４の駆動部４ｃは、押圧部４ａと一体的に成形加工されものとして設けたが、これに限定されず、駆動部４ｃを駆動部材４とは別体であるように設けても良い。この別体に設けられた駆動部は、保持部３ｃの円形の孔３ｍに支持されているように配置される。
【００２９】
操作部材５は、合成樹脂材料から成り、成形加工され、略長円状の本体部５ａと、本体部５ａの中央部から外方（上方）に突出する操作部５ｂとを有する。また、本体部５ａは、略長円状に周囲を囲む側壁５ｃと、側壁５ｃの対向する位置に設けられた円形の一対の孔５ｄと、側壁５ｃの開放端側に設けられた鍔部５ｅと、鍔部５ｅから外方（下方）に突出する略円柱状の複数個（例えば、２個）の押圧部５ｆとを有している。この各押圧部５ｆは、略長円状の側壁５ｃの対向する位置に設けられている。
【００３０】
この操作部材５は、ケース３の略長円状の孔３ｄを覆い、且つ、壁部３ｕに跨るように配置されると共に、操作部材５の一対の孔５ｄにケース３の一対の凸部３ｖが挿通されて操作部材５が揺動できるように保持されている。この状態のとき、操作部材５の押圧部５ｆと、駆動部材４の押圧部４ａの上面とが、当接して配置されている。
【００３１】
パネル６は、合成樹脂材料から成り、成形加工され、上壁６ａと、上壁６ａから下方に延設された側壁６ｂと、上壁６ａの所定の箇所に設けられた略長円状の孔６ｃとを有している。
【００３２】
このパネル６は、ケース３の上面側を覆うようにケース３上に配置され、パネル６とケース３とは、例えば、スナップイン係合など適宜手段にて係合される。このとき、孔６ｃには、操作部材５が挿通されて配置されている。
【００３３】
下カバー７は、合成樹脂材料から成り、成形加工され、底面部７ａと、底面部７ａの周囲を囲む側壁７ｂとを有している。この下カバー７は、ケース３の下面側を覆うようにケース３に配置され、下カバー７とケース３とは、例えば、スナップイン係合など適宜手段にて係合される。
【００３４】
次に、このスイッチ装置の組み立て方法を説明する。
先ず、プリント配線基板１にスイッチ部２を半田付けなどで接続する。次に、このスイッチ部２が接続されたプリント配線基板１をケース３の下面側からケース３内に収納し、適宜手段にてケース３に係止する。
【００３５】
次に、下カバー７をケース３の下面側を塞ぐように配置し、適宜手段（例えば、スナップイン）にてケース３に係止する。
次に、駆動部材４をケース３の保持部３ｃ内に配置させるのだが、このとき、駆動部材４の鍔部４ｂが保持部３ｃの一対の隙間３ｒ、３ｓにそれぞれ挟まれた状態に組み込まれ、よって、駆動部材４は、保持部材３ｃ内に外れることなく係止される。この一対の隙間３ｒ、３ｓへの鍔部４ｂの組み込みは、一対の隙間３ｒ、３ｓのそれぞれの隙間寸法ｌ１、ｌ２と、鍔部４ｂの厚さ寸法ｌ３との関係が、隙間寸法が寸法ｌ１＜寸法ｌ２であって、且つ、隙間寸法ｌ１≒厚さ寸法ｌ３に設けられていることから、一方の隙間３ｓへの組み込みが緩く、容易であり、他方の隙間３ｒへの係合が、確実である。
【００３６】
そして、この組み込みは、先ず、狭い隙間３ｒに鍔部４ｂをさし込み、次に、押圧部４ａを縮めるように変形させながら、広い隙間３ｓへ鍔部４ｂを挟み込むことで成される。
このことから、保持部材３ｃ内への鍔部４ｂの組み込みが容易で、且つ、確実に組み込みが出来る。
この状態のとき、駆動部材４の駆動部４ｃの自由端部は、スイッチ部２の押圧部２ｂに当接した状態で配置されている。
【００３７】
次に、操作部材５の側壁５ｃの一対の孔５ｄをケース３の壁部３ｕの一対の凸部３ｖに挿通させ、操作部材５が、ケース３に対して揺動出来るように取り付ける。この状態のとき、操作部材５の押圧部５ｆは、駆動部材４の押圧部４ａに当接した状態で配置されている。
次に、パネル６をケース３上面側を塞ぐように配置し、適宜手段（例えば、スナップイン）にてケース３に係止する。これによって、このスイッチ装置の組み立ては、完了する。
【００３８】
次に、このスイッチ装置の動作を説明する。
スイッチ装置の操作部材５の操作部５ｂの一方の面に押圧力を加えると、この押圧力によって、操作部材５が一対の孔５ｄを支点として一方側に揺動する。この操作部材５の揺動によって、押圧部５ｆが下方に移動され、この移動にて押圧部５ｆが当接している駆動部材４の押圧部４ａが座屈する。このとき、操作部材５の操作者にクリック感を感じさせる。そして、このとき駆動部材４の駆動部４ｃがスイッチ部２の押圧部２ｂを押圧して、スイッチ部２をオンの状態にする。
【００３９】
この状態から、操作部材５への押圧力を解除すると、駆動部材４の押圧部４ａの座屈が駆動部材４の弾発力によって、元の状態に復帰し、これと共に操作部材５は揺動の状態から元の状態に復帰して、スイッチ部２がオフの状態になる。
次に、操作部５ｂの他方の面に押圧力を加えると、上述の動作とほぼ同様の動作を行うが、ここではその動作についての説明は省略する。
【００４０】
なお、上述の実施の形態においては、操作部材として揺動するタイプを例に説明したが、駆動部材の組み込み構造が本発明の主旨を満たしているのであれば、操作部材のタイプに限定されない。例えば、操作部材を揺動タイプから、上下方向に変位するプッシュタイプとしても良い。
【００４１】
【発明の効果】
以上のように、本発明のスイッチ装置は、駆動部材が、鍔部と駆動部とを有し、ケースの保持部に、鍔部をそれぞれ挟み込む異なる隙間を有する一対の係止部が設けられ、一方の隙間の寸法が鍔部の厚さ寸法と略同等の寸法であり、他方の隙間の寸法が鍔部の厚さ寸法より大きな寸法であって、鍔部が隙間にそれぞれ挟まれて配置されていることから、ケースの保持部の隙間に鍔部を有する駆動部材の鍔部を挟み込めば、他の部材を用いることなく、且つ、一方の隙間の寸法と鍔部の厚さ寸法とが略同等の寸法であることから、駆動部材が保持部内に確実に収納され、他方は、緩い嵌合であるので組み込みが簡単になる。このことから、部品点数が少なく、組み立てが容易で、組み立て後のガタツキを押さえられるスイッチ装置を提供できるという効果を奏する。
【００４２】
また、本発明のスイッチ装置は、駆動部材と別体の駆動部を介してスイッチ部が駆動されることから、スイッチ部を駆動する駆動部の材質と、座屈する駆動部材の材質とを別個の材質となし、それぞれ最適な特性を有する部材を形成することが出来る。
【図面の簡単な説明】
【図１】本発明のスイッチ装置の実施の形態を示す分解斜視図である。
【図２】本発明のスイッチ装置を説明するための要部断面図である。
【図３】本発明のスイッチ装置を説明するための要部平面図である。
【図４】本発明のスイッチ装置を説明するための要部拡大断面図である。
【図５】従来のスイッチ装置を示す要部断面図である。
【図６】従来のスイッチ装置を説明するための要部拡大断面図である。
【符号の説明】
１    プリント配線基板
２    スイッチ部
２ｂ  押圧部
３    ケース
３ｂ  仕切壁
３ｃ  保持部
３ｇ  底面部
３ｋ  開口部
３ｍ  孔
３ｐ、３ｑ  係止部
３ｒ、３ｓ  隙間
４    駆動部材
４ａ  押圧部
４ｂ  鍔部
４ｃ  駆動部
５    操作部材
５ｆ  押圧部
６    パネル
７    下カバー
【図１】
0003701819.tif 000002
【図２】
0003701819.tif 000003
【図３】
0003701819.tif 000004
【図４】
0003701819.tif 000005
【図５】
0003701819.tif 000006
【図６】
0003701819.tif 000007